(57)【要約】【課題】  操作時に爪等が当たってもボタンを傷つけることがなく、過大な操作力が加わってもスイッチを保護できる。【解決手段】  ケース５０は、軟質の内部ボタン４０の側壁４３の外周に有する溝部４６に係合される内鍔部５１を有する。ボタン１０は、硬質材料で形成された、側周壁１２と上部操作壁１１を有し、内部ボタン４０を覆うように固定され、側周壁１２の端部に設けた張り出し部１７を備える。張り出し部１７は、内鍔部５１との間に設けられ内鍔部５１と隣接される、内部ボタン４０の溝部４６の一部を形成する外鍔部４７と空隙Ａをもって近設して配される。ボタン１０を押圧すると内部ボタン４０が変形してスイッチ３０の開閉ができる。【選択図】  図１
2010244825.tif 000002
【特許請求の範囲】
【請求項１】
側壁と上部壁を有し、下面に開口部を有する軟質の内部ボタンと、
前記内部ボタンを覆うように前記内部ボタンに固定されたボタンと、
前記内部ボタンの開口部に装着されたスイッチ基板と、
前記スイッチ基板上であって前記内部ボタン内に配されたスイッチと、
前記内部ボタンの側壁に固定されたケースと、を備えたプッシュスイッチであって、
前記ケースは、前記内部ボタンの側壁の外周に有する溝部に係合される内鍔部を有し、
前記ボタンは、硬質材料で形成された、側周壁と上部操作壁を有し、前記側周壁端部に設けた略平面状の押圧面を有する張り出し部を備え、
前記張り出し部は、前記内鍔部と対向して配されると共に、前記内鍔部との間に設けられ前記内鍔部と隣接される、前記溝部の一部を形成する外鍔部と空隙をもって配され、
前記ボタンが押圧され前記内部ボタンが弾性変形して前記スイッチがオンされると、前記張り出し部が前記外鍔部と当接することを特徴とするプッシュスイッチ。
【請求項２】
前記ケースの内鍔部は、少なくとも前記ボタンの張り出し部の押圧面に対応する部分に前記ケース内側から内向きに形成されていることを特徴とする請求項１に記載のプッシュスイッチ。
【請求項３】
前記内部ボタンの上部壁の略中央には上下方向に一体に突出する押圧部が設けられ、
前記押圧部の両端面は、前記ボタンの上部操作壁と前記スイッチに有する操作部に対向して配され、
前記内部ボタンの押圧部の下端面は、前記ボタンに斜め横方向から押圧力が加わっても前記スイッチの操作部の端面と当接されることを特徴とする請求項１に記載のプッシュスイッチ。
【発明の詳細な説明】
【技術分野】
【０００１】
本発明は、プッシュスイッチに関する。
【背景技術】
【０００２】
従来のプッシュスイッチとして、例えば、車載用に用いられ外部から押圧操作するスイッチ操作装置がある（特許文献１）。このスイッチ操作装置は、図７に示すように、回路基板１０１上に半田付固定された可動部１０２を有するスイッチ１０３と、このスイッチ１０３の前方側に配置された開口穴１０４を有するケース１０５と、開口穴１０４を塞ぐように開口穴１０４周縁のケース１０５に装着された押釦１０６を備えている。
【０００３】
この押釦１０６は、柔軟性を有する合成ゴムからなり、開口穴１０４の周縁に装着される装着部１０９と、押圧操作部１１０と、押圧操作部１１０と装着部１０９とを繋ぐ厚さの薄い撓み部１１１と、押圧操作部１１０の押圧によりスイッチ１０３の可動部１０２を可動させる軸部１１２とを有し、ケース１０５内を防水している。このスイッチ操作装置の操作は図面上下方向に押釦１０６の押圧操作部１１０を押圧あるいは押圧解除してスイッチ１０３の開閉が行なわれる。
【先行技術文献】
【特許文献】
【０００４】
【特許文献１】特開２００９−９８２３号公報
【発明の概要】
【発明が解決しようとする課題】
【０００５】
しかしながら、上述のようなプッシュスイッチは、押釦を指等で押圧するときに爪等の堅いものが当たると押釦が柔軟性の材質のため亀裂が入ったり破れたりする恐れがあった。またプッシュスイッチの押釦の操作時に操作者の押圧力の全てがスイッチに作用するため、プッシュスイッチの押釦に過大な押圧力が加わるとスイッチが損傷する恐れがあった。
【０００６】
さらにプッシュスイッチの押釦の操作時には図面上下方向からだけ押圧されるとは限らず、あらゆる方向から押圧される可能性があり、例えば押釦が図面斜め横方向から押圧された場合には、操作者の押し方によっては押釦の軸部の下端が水平方向に移動して正確にスイッチに押圧力が加わらない恐れがあった。
【０００７】
そこで本発明の第１の課題として、押釦の操作時に爪等が当たっても押釦を傷つけることがなく、また過大な荷重の操作力が加わってもスイッチを保護できるプッシュスイッチを提供する。
【０００８】
本発明の第２の課題として、あらゆる方向からスイッチを押圧することができるプッシュスイッチを提供する。
【課題を解決するための手段】
【０００９】
上記第１の課題を解決するため、
側壁と上部壁を有し、下面に開口部を有する軟質の内部ボタンと、
前記内部ボタンを覆うように前記内部ボタンに固定されたボタンと、
前記内部ボタンの開口部に装着されたスイッチ基板と、
前記スイッチ基板上であって前記内部ボタン内に配されたスイッチと、
前記内部ボタンの側壁に固定されたケースと、を備えたプッシュスイッチであって、
前記ケースは、前記内部ボタンの側壁の外周に有する溝部に係合される内鍔部を有し、
前記ボタンは、硬質材料で形成された、側周壁と上部操作壁を有し、前記側周壁端部に設けた略平面状の押圧面を有する張り出し部を備え、
前記張り出し部は、前記内鍔部と対向して配されると共に、前記内鍔部との間に設けられ前記内鍔部と隣接される、前記溝部の一部を形成する外鍔部と空隙をもって配され、
前記ボタンが押圧され前記内部ボタンが弾性変形して前記スイッチがオンされると、前記張り出し部が前記外鍔部と当接する、
ことを特徴とするものである。
本発明のプッシュスイッチでは、前記ケースの内鍔部は、少なくとも前記ボタンの張り出し部の押圧面に対応する部分に前記ケース内側から内向きに形成されていることが望ましい。
【００１０】
上記第２の課題を解決するため、
前記内部ボタンの上部壁の略中央には上下方向に一体に突出する押圧部が設けられ、
前記押圧部の両端面は、前記ボタンの上部操作壁と前記スイッチに有する操作部に対向して配され、
前記内部ボタンの押圧部の下端面は、前記ボタンに斜め横方向から押圧力が加わっても前記スイッチの操作部の端面と当接される、
ことを含むものである。
【発明の効果】
【００１１】
本発明によれば、軟質の内部ボタンを覆うように硬質のボタンを配置したため爪等が当たっても内部ボタンを保護できると共に、過大な押圧力が加わった場合であってもボタンがストローク（張り出し部と外鍔部との空隙）分だけ押圧されスイッチがオンされると、ボタンの張り出し部が内部ボタンの外鍔部と当接してボタンの押圧力をケースの内鍔部により受け止め、スイッチに過大な押圧力が加わることなくスイッチを保護できる信頼性の高いプッシュスイッチを提供できる。
【図面の簡単な説明】
【００１２】
【図１】本発明の第１の実施形態におけるプッシュスイッチの組立分解斜視図である。
【図２】図１におけるプッシュスイッチの完成斜視図である。
【図３】図２におけるプッシュスイッチのＦ−Ｆ間の断面図（ａ）およびＧ−Ｇ間の断面図（ｂ）である。
【図４】図３（ａ）におけるプッシュスイッチの第１の動作断面図である。
【図５】図３（ａ）におけるプッシュスイッチの第２の動作断面図である。
【図６】本発明の第１の実施形態におけるプッシュスイッチの変形例である。
【図７】従来のプッシュスイッチの断面図である。
【発明を実施するための形態】
【００１３】
以下、図面に基づいて本発明の実施の形態を例示的に説明する。但し、この実施の形態に記載されている構成部品の材質、形状、その相対配置などは、特に特定的な記載がない限りはこの発明の範囲をそれのみに限定する趣旨ではない。
【００１４】
（第１の実施形態）
図１は、本発明の実施形態におけるプッシュスイッチの組立分解斜視図である。図２は、図１におけるプッシュスイッチの完成斜視図である。図３は、図２におけるプッシュスイッチのＦ−Ｆ間の断面図（ａ）およびＧ−Ｇ間の断面図（ｂ）である。図４は、図３（ａ）におけるプッシュスイッチの第１の動作断面図である。図５は、図３（ａ）におけるプッシュスイッチの第２の動作断面図である。
【００１５】
図１ないし図３において、本実施形態におけるプッシュスイッチ１は、図示しない車両用のドアハンドル装置の開口孔に装着される。このドアハンドル装置の開口孔にはプッシュスイッチ１のボタン１０が外部に露出して取り付けられ、ボタン１０が指等により押圧されることによりドアの施錠もしくは解錠ができるようになっている。
【００１６】
このプッシュスイッチ１は、ボタン１０と、スイッチ基板２０と、スイッチ３０と、内部ボタン４０と、ケース５０と、ストッパ６０を有する。
【００１７】
ボタン１０は、硬質樹脂で成形され剛性を有し、略四角形状の上部操作壁１１と、その周辺に立設された側周壁１２と、プッシュスイッチ１の長手方向に平行な側周壁１２の端部から外側に突出する、略平面状の押圧面１８を有する２個の張り出し部１７とを備える。
【００１８】
内部ボタン４０は、シリコンゴムの軟質樹脂で形成され、略四角形状の上部壁４２と、その周辺に立設された側壁４３と、下面に開口部４８とを有し、内部ボタン４０の側壁４３の外周全周には溝部４６を備える。
【００１９】
この内部ボタン４０の側壁４３の内側の段差部４９には絶縁性のスイッチ基板２０が装着され、スイッチ基板２０の下面からストッパ６０がケース５０内に係止される。
【００２０】
スイッチ基板２０上には、操作部３１と本体部３２を有するスイッチ３０が内部ボタン４０内に配置され、スイッチ３０の信号が接続端子３３Ａ、３３Ｂを介して外部に伝達される。
【００２１】
スイッチ３０の操作部３１は、図面上方に付勢され、操作部３１が図面下方に押圧されるとクリック感を得て図示しない接点間が導通し、操作部３１の押圧力を除くと元の状態に戻り接点間が不導通となり、スイッチ３０の開閉ができるようになっている。
【００２２】
内部ボタン４０の上部壁４２の略中央には、図３に示すように、図面上下方向に一体に突出する略直方体形状の押圧部４４を有する。この押圧部４４の両端面は、ボタン１０の上部操作壁１１の内壁とスイッチ３０の操作部３１の端面に対向するよう近設あるいは当接して配される。押圧部４４の下端面は、スイッチ３０の操作部３１の端面より広い面積を有し、ボタン１０に斜め横方向から押圧力が加わった場合でもスイッチ３０の操作部３１の端面と全面が必ず当接するようになっている。
【００２３】
ケース５０は、硬質樹脂により略四角筒状に形成され、内部ボタン４０の側壁４３の周囲の溝部４６に係合される内鍔部５１を有する。この内鍔部５１は、少なくともボタン１０の張り出し部１７の押圧面１８に対応してケース５０の内側から内向きに突出するように形成されている。この内鍔部５１は、ケース５０内側から内向きに全周に設けてもよく、内部ボタン４０とケース５０との隙間に水滴が付着してもケース５０内に水滴が入ることを防止できる。このケース５０の外側には、プッシュスイッチ１をドアハンドル装置に装着する取付孔５３を設けている。
【００２４】
上述のボタン１０は、内部ボタン４０の外側に対して押圧部４４周囲に空間Ｂを有しながら覆うように配されると共に、内部ボタン４０の側壁４３の突部４５にボタン１０の側周壁１２の孔１６が嵌合されて内部ボタン４０に固定される。
そのためボタン１０の押圧操作時に爪等が当たっても内部ボタン４０が保護できる。
【００２５】
ボタン１０の張り出し部１７は、図３（ａ）に示すように、ケース５０の内鍔部５１と対向して配される共に、内鍔部５１との間に設けられ内鍔部５１と隣接される、内部ボタン４０の溝部４６の一部を形成する外鍔部４７と空隙Ａをもって近設して配されている。このボタン１０の張り出し部１７と内部ボタン４０の外鍔部４７との空隙Ａは、ボタン１０を押圧操作したときに押圧部４４が弾性変形されスイッチ３０がオンするまでのストロークとほぼ同じとしている。
【００２６】
以上のように構成される本例のプッシュスイッチ１は、図面上方向から下方向にボタン１０を押圧した場合に、図４に示すようにボタン１０が図面下方に押圧され内部ボタン４０の押圧部４４が弾性変形すると共に、押圧部４４が操作部３１を下方へ押し込み、スイッチ３０をオンする（図４の状態）。
【００２７】
この時、ボタン１０に外力として過大な押圧力が加わった場合であっても、ボタンのストローク（張り出し部と外鍔部との空隙Ａ）分だけボタン１０が押圧されてスイッチ３０がオンされると、ボタン１０の張り出し部１７が内部ボタン４０の外鍔部４７に当接しボタン１０の押圧力をケース５０の内鍔部５１により受け止めるため、スイッチに過大な押圧力を加えることなくスイッチを保護できる。
【００２８】
そしてボタン１０に押圧力がなくなると、内部ボタン４０の押圧部４４が弾性復元してボタン１０と操作部３１が初期位置へ戻り（図３（ａ）の状態）に戻り、スイッチ３０は不導通になり、以後、繰り返し操作が可能となる。
【００２９】
このように本発明によれば、軟質の内部ボタンを覆うように硬質のボタンを配置したため爪等が当たっても内部ボタンを保護できると共に、過大な押圧力が加わった場合であってもボタンがストローク（張り出し部と外鍔部との空隙）分だけ押圧されスイッチがオンされると、ボタンの張り出し部が内部ボタンの外鍔部と当接してボタンの押圧力をケースの内鍔部により受け止め、スイッチに過大な押圧力が加わることなくスイッチを保護できる信頼性の高いプッシュスイッチを提供できる。
【００３０】
また、ケース５０の内鍔部５１は、少なくともボタン１０の張り出し部１７の押圧面１８に対応する部分にケース５０の内側から内向きに形成されているため、ボタン１０の張り出し部１７がケース５０の内鍔部５１と当接してボタン１０の押圧力をケース５０の内鍔部５１により受け止め、スイッチに過大な押圧力を加えることなくスイッチを確実に保護することができる。
【００３１】
また、ボタン１０の張り出し部１７は、ケース５０の内鍔部５１と対向して配される共に、内鍔部５１との間に設けられ内鍔部５１と隣接される、内部ボタン４０の溝部４６の一部を形成する外鍔部４７と空隙をもって配される。よって、ボタン１０に急激に過大な押圧力が加わった場合であってもボタン１０の張り出し部１７が軟質の外鍔部４７に当接してケース５０の内鍔部５１に加わる押圧力を和らげることができる。
【００３２】
また、このボタン１０は、軟質の内部ボタン４０の外側に対して押圧部４４周囲に空間Ｂを有しながら内部ボタン１０を覆うように固定したため、ボタン１０を押圧操作したときのクリック感をほとんど減衰させることなく操作者に伝えることができスイッチ動作を確実に確認することができる。
【００３３】
また、ボタン１０に加わる過大な押圧力の受け部（内鍔部５１）をケース５０に設けたため、内部ボタン４０内にこの受け部を設けなくてすみ、内部ボタン４０内の空間を小さくしてプッシュスイッチ全体を小型化できる。
【００３４】
また、図５に示すように、内部ボタン４０の押圧部３１の下端面は、ボタン１０に斜め横方向から押圧力が加わってもスイッチ３０の操作部３１の端面と当接するようにしたため、任意の方向からボタン１０が押圧されても内部ボタン４０の押圧部４４が弾性変形され押圧部４４が操作部３１を下方へ押し込み、スイッチ３０を確実にオンすることもできる。
【００３５】
この時、ボタン１０に外力として過大な押圧力が加わった場合であっても、ボタン１０の張り出し部１７がケース５０の内鍔部５１と当接してボタン１０がストローク（張り出し部と外鍔部との空隙Ａ）分だけ押圧されスイッチ３０がオンされ、ボタン１０の張り出し部１７がケース５０の外鍔部４７と当接してボタン１０の押圧力をケース５０の内鍔部５１により受け止め、スイッチに過大な押圧力を加えることなくスイッチを保護することもできる。
【００３６】
そしてボタン１０に押圧力がなくなると、内部ボタン４０の押圧部４４が弾性復元してボタン１０と操作部３１が初期位置へ戻り（図３（ａ）の状態）に戻り、スイッチ３０は不導通になり、以後、繰り返し操作が可能となる。
【００３７】
なお、本実施形態のプッシュスイッチ１では、ボタン１０の張り出し部１７を２個設けてこの張り出し部１７に対応する内鍔部５１をケース５０に設けたが、図６に示すように、ボタン１０の略四角形状の上部操作壁の角に４個の張り出し部１７を設けてこの張り出し部１７に対応する内鍔部５１をケース５０に設けても上述のような同様の効果を得られるものである。
【００３８】
以上説明したように本発明は、上記の実施例に限定されるものではなく、本発明の主旨を逸脱しない範囲において適宜変更して実施可能である。
【符号の説明】
【００３９】
１          プッシュスイッチ
１０        ボタン
１１        上部操作壁
１２        側周壁
１６        孔
１７        張り出し部
１８        押圧面
２０        スイッチ基板
３０        スイッチ
３１        操作部
３２        本体部
３３Ａ      接続端子
３３Ｂ      接続端子
４０        内部ボタン
４２        上部壁
４３        側壁
４４        押圧部
４５        突部
４６        溝部
４７        外鍔部
４８        開口部
４９        段差部
５０        ケース
５１        内鍔部
５３        取付孔
６０        ストッパ
１０１      回路基板
１０２      可動部
１０３      スイッチ
１０４      開口穴
１０５      ケース
１０６      押釦
１０９      装着部
１１０      押圧操作部
１１１      撓み部
１１２      軸部
Ａ          空隙
Ｂ          空間
【図１】
2010244825.tif 000003
【図２】
2010244825.tif 000004
【図３】
2010244825.tif 000005
【図４】
2010244825.tif 000006
【図５】
2010244825.tif 000007
【図６】
2010244825.tif 000008
【図７】
2010244825.tif 000009